(57)【特許請求の範囲】
【請求項１】
全体としての基本形状が略直方体状の電池パックを着脱可能に収納する収納部を有する筐体を備えた情報処理装置であって、
前記収納部は、前記筐体の底部および側部の一部を切り欠くことにより、前記電池パックを筐体の側方から挿入させる開口部と、電池パックの装着端面に対応する奥壁部と、電池パックの一対の側面部に対応する一対の側壁部と、電池パックの装着平面部に対応する天井壁部と、を備えて形成され、
前記収納部の前記側壁部には、前記電池パックの前記側面部に設けられた被ガイド部に係合して当該電池パックの挿入動作を案内するガイド手段が設けられ、
該ガイド手段は、前記被ガイド部と係合することにより、前記電池パックの挿入量が所定値に達するまでは、当該電池パックの前記装着平面部と収納部の前記天井壁部との間に所定の間隙を保ち、前記電池パックの挿入量が前記所定値に達すると、前記装着平面が前記天井壁部に近接して前記間隙をなくするように、電池パックの挿入動作を案内する、
ことを特徴とする情報処理装置。
【請求項２】
前記被ガイド部は、電池パック側面に形成されて挿入方向に延びる溝部であり、前記ガイド手段は、前記収納部の前記側壁部に形成されて挿入方向に延び、前記溝部と係合するガイドレールであり、
該ガイドレールは、前記所定値に達するまでの電池パックの挿入量に対応する第１ガイド部と、前記所定値に達した後の電池パックの挿入量に対応する第２ガイド部と、を備えており、
該第２ガイド部の前記溝部の被ガイド壁に対するガイド面は、前記第１ガイド部のガイド面よりも、収納部の前記天井壁部に対し前記間隙に相当する距離だけ近くに位置するように設定されている、
ことを特徴とする請求項１に記載の情報処理装置。
【請求項３】
前記被ガイド部は、電池パック側面に形成されて挿入方向に延びる溝部であり、前記ガイド手段は、前記収納部の前記側壁部に形成されて挿入方向に延び、前記溝部と係合するガイドレールであり、
前記溝部は、前記所定値に達するまでの電池パックの挿入量に対応する第１被ガイド部と、前記所定値に達した後の電池パックの挿入量に対応する第２被ガイド部と、を備えており、
該第２被ガイド部の前記ガイドレールにガイドされる被ガイド壁は、前記第１被ガイド部の被ガイド壁よりも、収納部の前記天井壁部に対し前記間隙に相当する距離だけ遠くに位置するように設定されている、
ことを特徴とする請求項１に記載の情報処理装置。
【請求項４】
該ガイドレールは、前記所定値に達するまでの電池パックの挿入量に対応する第１ガイド部と、前記所定値に達した後の電池パックの挿入量に対応する第２ガイド部と、を備えており、
該第２ガイド部の前記溝部の被ガイド壁に対するガイド面は、前記第１ガイド部のガイド面よりも、収納部の前記天井壁部に対し前記間隙に相当する距離だけ近くに位置するように設定されている、
ことを特徴とする請求項３に記載の情報処理装置。
【請求項５】
前記電池パックの装着平面部には、当該電池パックの銘板が貼り付けられ、若しくは銘板情報が印刷されている、ことを特徴とする請求項１から４の何れか一に記載の情報処理装置。
【発明の詳細な説明】
【技術分野】
【０００１】
本発明は、例えばノート型パーソナルコンピュータ（以下、適宜、「ノートパソコン」と略称する）などの携帯可能な情報処理装置に関し、特に、かかる情報処理装置の電池パック収納構造に関する。
【背景技術】
【０００２】
周知のように、ノートパソコン等の携帯可能な情報処理装置は、充電式のバッテリ（電池）からの給電によって駆動することができるものが普通である。かかる電池をユニット化した電池パックを情報処理装置に装着・収納する場合、一般に、当該情報処理装置の本体側の筐体の底部および側部の一部を凹状に切り欠いて収納部を設けておき、この収納部に対して、筐体側方から電池パックを挿入して収納するようにしている。また、逆方向に抜脱することにより、電池パックを取り外すことができる。尚、かかる電池パックは、通常、その全体としての基本形状が略直方体状に形成され、電池パック収納部もこれに対応した凹状に形成されている。
【０００３】
このような電池パックを収納部に対してできるだけ容易かつ確実に挿入／抜脱できるようにするために、例えば特許文献１には、電池パックの左右の側面に挿入方向に延びる突出部を設ける一方、収納部の左右側壁に挿入方向へ延びるガイド溝を設けておき、このガイド溝に前記突出部を係合させて、電池パックを収納部に対して挿入／抜脱するようにした構成が開示されている。かかる構成により、バッテリが備える端子を収納部が備える端子まで安定的に案内することができる。尚、本明細書において、「挿入／抜脱」とは、「挿入または抜脱」の意であり、これを簡略化して表示したものである。
【先行技術文献】
【特許文献】
【０００４】
【特許文献１】特開２００１−２６６８２６号公報
【発明の概要】
【発明が解決しようとする課題】
【０００５】
前記従来のように構成する場合、電池パックは、前記突出部とガイド溝とでなるガイド機構によって案内されながら、電池パックの上下の平面部のうちの収納部天井壁部に対応する上側の平面部（装着平面部）が収納部天井壁部に対して摺動しながら（つまり、擦れ合いながら）、収納部に対し挿入／抜脱が行われるのが普通である。
【０００６】
このように、電池パックの装着平面部が収納部の天井壁部に対して摺動しながら（つまり、擦れ合いながら）電池パックの挿入／抜脱が行われる場合、各部の寸法公差によっては電池パックの挿入／抜脱時の摺動抵抗が過度に大きくなってしまい、スムースな挿入／抜脱を行い難くなり、電池パックの挿入／抜脱時の操作性が損なわれる場合がある。
【０００７】
また、このように摺動抵抗が大きい状態で挿入／抜脱が繰り返されると、電池パックの装着平面および収納部の天井壁面に表面荒れが生じるなど、その表面性状が損なわれることになり、好ましくない。このとき、例えば、装着平面に塗装が施されている場合にあっては塗装の剥がれが生じ、また、電池パックの銘板が装着平面に貼り付けられている場合、若しくは銘板情報が印刷されている場合にあっては、その表示が擦れて見辛くなる、などの問題が生じる。
【０００８】
かかる諸問題に対して、電池パックの装着平面と収納部の天井壁部との間に若干の隙間を設けるようにすることも考えられるが、このような隙間があると、収納状態では電池パックに「がたつき」が生じ易くなり、安定した収納状態を得る上で不利になり、以て電気的接続をするコネクタ部に摩耗が生じ易く、接触不良が発生するという問題が生じる。
【０００９】
そこで、本発明は、電池パックの安定した収納状態を確保した上で、電池パックの収納部に対する挿入／抜脱をよりスムースに行うことができ、また、挿入／抜脱が繰り返されても、電池パックの装着平面および収納部の天井壁面の表面性状が損なわれることを抑制できるようにすることを、基本的な目的としてなされたものである。
【課題を解決するための手段】
【００１０】
このため、本発明は、全体としての基本形状が略直方体状の電池パックを着脱可能に収納する収納部を有する筐体を備えた情報処理装置であって、前記収納部は、前記筐体の底部および側部の一部を切り欠くことにより、前記電池パックを筐体の側方から挿入させる開口部と、電池パックの装着端面に対応する奥壁部と、電池パックの一対の側面部に対応する一対の側壁部と、電池パックの装着平面部に対応する天井壁部と、を備えて形成され、前記収納部の前記側壁部には、前記電池パックの前記側面部に設けられた被ガイド部に係合して当該電池パックの挿入動作を案内するガイド手段が設けられ、該ガイド手段は、前記被ガイド部と係合することにより、前記電池パックの挿入量が所定値に達するまでは、当該電池パックの前記装着平面部と収納部の前記天井壁部との間に所定の間隙を保ち、前記電池パックの挿入量が前記所定値に達すると、前記装着平面が前記天井壁部に近接して前記間隙をなくするように、電池パックの挿入動作を案内する、ことを特徴としたものである。
【発明の効果】
【００１１】
本発明によれば、電池パックを収納部に挿入する際に、電池パックの挿入量が所定値に達するまでは、当該電池パックの装着平面部と収納部の天井壁部との間に所定の間隙を保ち、電池パックの挿入量が前記所定値に達すると、装着平面部が天井壁部に近接して間隙をなくするように、電池パックの挿入動作が案内される。従って、電池パックを収納部に挿入する際に、挿入量が所定値に達するまでは、電池パックの装着平面と収納部の天井壁部とが擦れ合うことは確実に防止され、スムースな挿入動作を得ることができる。そして、電池パックの挿入量が前記所定値に達すると、装着平面部が天井壁部に近接して間隙をなくすることにより、電池パックの収納状態に「がたつき」が生じることを防止でき、安定に電気的接続することができる。尚、電池パックを収納部から抜脱する際には、以上とは逆になる。
すなわち、電池パックの安定した収納状態を確保した上で、電池パックの収納部に対する挿入／抜脱をよりスムースに行うことができ、また、挿入／抜脱が繰り返されても、電池パックの装着平面の表面性状が損なわれることを抑制できる。
【図面の簡単な説明】
【００１２】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの底面図
【図６】実施形態に係る電池パック及びその収納部を概略的に示す斜視図
【図７】電池パックの溝部および収納部のガイドレールを拡大して示す説明図
【発明を実施するための形態】
【００１３】
本発明の情報処理装置は、上述の構成を基本として、以下のような態様をとることができる。すなわち、前記構成の情報処理装置において、より具体的には、前記被ガイド部は、電池パック側面に形成されて挿入方向に延びる溝部であり、前記ガイド手段は、前記収納部の前記側壁部に形成されて挿入方向に延び、前記溝部と係合するガイドレールであり、該ガイドレールは、前記所定値に達するまでの電池パックの挿入量に対応する第１ガイド部と、前記所定値に達した後の電池パックの挿入量に対応する第２ガイド部と、を備えており、該第２ガイド部の前記溝部の被ガイド壁に対するガイド面は、前記第１ガイド部のガイド面よりも、収納部の前記天井壁部に対し前記間隙に相当する距離だけ近くに位置するように設定されている、ように構成することができる。
【００１４】
この場合には、収納部の側壁部に形成されたガイドレールの前記第２ガイド部の前記溝部の被ガイド壁に対するガイド面は、前記第１ガイド部のガイド面よりも、収納部の天井壁部に対し前記間隙に相当する距離だけ近くに位置するように設定されていることにより、電池パックを収納部に挿入する際に、電池パックの挿入量が所定値に達するまでは、当該電池パックの装着平面部と収納部の天井壁部との間に所定の間隙を保ち、電池パックの挿入量が前記所定値に達すると、装着平面部が天井壁部に近接して間隙をなくするように、電池パックの挿入動作が案内される。
【００１５】
或いは、本発明の情報処理装置は、上述の構成を基本として、以下のような態様をとることもできる。すなわち、前記構成の情報処理装置において、前記被ガイド部は、電池パック側面部に形成されて挿入方向に延びる溝部であり、前記ガイド手段は、前記電池パック収納部の前記側壁部に形成されて挿入方向に延び、前記溝部と係合するガイドレールであり、前記溝部は、前記所定値に達するまでの電池パックの挿入量に対応する第１被ガイド部と、前記所定値に達した後の電池パックの挿入量に対応する第２被ガイド部と、を備えており、該第２被ガイド部の前記ガイドレールにガイドされる被ガイド壁は、前記第１被ガイド部の被ガイド壁よりも、収納部の前記天井壁部に対し前記間隙に相当する距離だけ遠くに位置するように設定されている、ように構成することもできる。
【００１６】
この場合には、電池パックの側面部に形成された溝部の第２被ガイド部の前記ガイドレールにガイドされる被ガイド壁は、前記第１被ガイド部の被ガイド壁よりも、収納部の天井壁部に対し前記間隙に相当する距離だけ遠くに位置するように設定されていることにより、電池パックを収納部に挿入する際に、電池パックの挿入量が所定値に達するまでは、当該電池パックの装着平面部と収納部の天井壁部との間に所定の間隙を保ち、電池パックの挿入量が前記所定値に達すると、装着平面部が天井壁部に近接して間隙をなくするように、電池パックの挿入動作が案内される。
【００１７】
更に、本発明の情報処理装置は、前記構成を基本として、以下のような態様をとることが好ましい。すなわち、上記の構成の情報処理装置において、該ガイドレールは、前記所定値に達するまでの電池パックの挿入量に対応する第１ガイド部と、前記所定値に達した後の電池パックの挿入量に対応する第２ガイド部と、を備えており、該第２ガイド部の前記溝部の被ガイド壁に対するガイド面は、前記第１ガイド部のガイド面よりも、収納部の前記天井壁部に対し前記間隙に相当する距離だけ近くに位置するように設定されている、ことが好ましい。
【００１８】
この場合には、ガイドレールの前記第２ガイド部の溝部の被ガイド壁に対するガイド面は、前記第１ガイド部のガイド面よりも、収納部の前記天井壁部に対し前記間隙に相当する距離だけ近くに位置するように設定されており、且つ、溝部の第２被ガイド部のガイドレールにガイドされる被ガイド壁は、前記第１被ガイド部の被ガイド壁よりも、収納部の天井壁部に対し前記間隙に相当する距離だけ遠くに位置するように設定されていることにより、電池パックを収納部に挿入する際に、電池パックの挿入量が前記所定値に達すると、電池パック挿入方向における奥側と手前側の両方で、装着平面部が天井壁部に近接して間隙をなくするように電池パックの挿入動作が案内され、より安定した挿入動作を実現でき、また、より安定した電池パックの収納状態が得られる。
【００１９】
また更に、本発明の情報処理装置は、以上の構成を基本として、次のような態様をとることもできる。すなわち、以上の構成の情報処理装置において、前記電池パックの装着平面部には、当該電池パックの銘板が貼り付けられ、若しくは銘板情報が印刷されていてもよい。
【００２０】
この場合には、電池パックの装着平面部に、当該電池パックの銘板が貼り付けられ、若しくは銘板情報が印刷されている場合について、電池パックの収納部に対する挿入／抜脱が繰り返されても、銘板が剥がれたり、或いは、装着平面部に貼り付けられた銘板の銘板情報若しくは装着平面部に印刷された銘板情報が、擦れて見辛くなるという不具合が生じることを抑制できる。
【００２１】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００２２】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００２３】
これらの図に示すように、本実施形態に係る情報処理装置としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００２４】
前記表示部１０は、表示部側の筐体１１（第１筐体）に格納されてその周縁および背面が覆われており、一方、制御操作部３０は操作制御部側の筐体３１（第２筐体）に格納され、両筐体１０，３０は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ノートパソコンＷのユーザから見た後側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００２５】
前記ノートパソコンＷは、充電式のバッテリ（電池）からの給電によって駆動することができるものである。
図５は前記ノートパソコンＷの底面図、また、図６は本実施形態に係る電池パック及びその収納部を概略的に示す斜視図であるが、これらの図に示すように、本実施形態では、充電式の電池をユニット化した電池パック５０をノートパソコンＷに対し着脱可能に収納する収納部４０が第２筐体３１の底部３１ｂに設けられている。電池パック５０はその全体形状が基本的には略直方体状に形成され、収納部４０もこれに対応した凹状に形成されている。
【００２６】
より詳しく説明すれば、図６に示されるように、前記電池パック５０は、略平坦に形成されて後述する収納部天井部に対向するように装着される装着平面５１と、該装着平面５１と対をなす底側平面５２と、両平面５１，５２間に位置する左右一対の側面５３，５３と、挿入方向（矢印Ｙｓ方向）における端末に位置し、接続端子（不図示）を有すると共に後述する収納部奥壁部に対応して装着される奧側端面５４と、該奥側端面５４と対をなす手前側端面５５とで、全体としての基本形状が略直方体状に形成されている。
【００２７】
前記装着平面５１には、当該電池パック５０の製造メーカ名、型式番号や製造ロット番号、更には基本仕様などを記載した銘板が貼り付けられている。或いは、これらの銘板情報を装着平面５１に直接に印刷または他の方法で表示するようにしても良い。
【００２８】
一方、収納部４０は、第２筐体３１の底部３１ｂ及び側部３１ｓの一部を切り欠くことにより、電池パック５０の装着平面５１に対応する天井壁部４１と、該天井壁部４１と対向し電池パック５０の底側平面５２を受容する底側開口４２と、天井壁部４１と底側開口４２との間に位置し、電池パック５０の左右一対の側面５３に対応する左右一対の側壁部４３と、電池パック５０の奥側端面５４の接続端子が接続されるコネクタ部を有して奥側端面５４に対応する奥壁部４４と、該奥壁部４４と対向し電池パック５０の手前側端面５５を受容する入口開口４５とを備えて、電池パック５０の直方体に対応した凹状に形成されている。電池パック５０は、入口開口４５を介して筐体３１の後部の側方から挿入される。
【００２９】
電池パック５０の左右側面５３と収納部４０の左右側壁部４３には、当該電池パック５０の収納部４０に対する挿入／抜脱動作を案内するガイド機構が設けられている。具体的には、電池パック５０の各側面５３に挿入方向へ延びる溝部５７が形成される一方、収納部４０の各側壁部４３には、前記溝部５７と係合し電池パック５０の挿入方向へ延びるガイドレール４７が設けられている。
【００３０】
そして、電池パック５０の溝部５７と収納部４０のガイドレール４７とを係合させることにより、当該電池パック５０の収納部４０に対する挿入／抜脱動作を安定してガイドすることができる。このとき、基本的は、溝部５７の上面である被ガイド壁５７ｇが、ガイドレール４７の上面であるガイド面４７ｇを摺動することで、挿入／抜脱動作がガイドされる。前記電池パック５０の溝部５７及び収納部４０のガイドレール４７が、それぞれ本願請求項に記載した「被ガイド部」及び「ガイド手段」に相当している。
【００３１】
尚、本実施形態では、電池パック５０の底側平面５２に、当該電池パック５０を収納部４０に対して収納状態にロック・アンロックする切換操作手段として、電池パック５０の底側平面５２に沿って若干量だけスライドさせることにより切換操作が行えるようにした、所謂スライドノブ６０が設けられている。この代わりに、収納部４０を開閉可能に覆う蓋部材を電池パック５０とは別途に用意し、この蓋部材に同様の機能を有するスライドノブを設けるようにしてもよい。かかるスライドノブ６０の構造および作用は、従来公知のものと基本的に同様であるので、その詳細な説明および図示は省略する。
【００３２】
本実施形態では、電池パック５０の安定した収納状態を確保した上で、電池パック５０の収納部４０に対する挿入／抜脱をよりスムースに行うことができるようにするために、図７に詳しく示すように、ガイドレール４７は、前記溝部５７と係合することにより、電池パック５０の挿入量が所定値Ｓｃに達するまでは、当該電池パック５０の装着平面５１と収納部４０の天井壁部４１との間に所定の間隙Ｇを保ち、電池パック５０の挿入量が前記所定値Ｓｃに達すると、装着平面５１が天井壁部４１に近接して前記間隙Ｇをなくするように、電池パック５０の挿入動作を案内する、ように構成されている。
【００３３】
より詳しく説明すれば、ガイドレール４７は、前記所定値Ｓｃに達するまでの電池パック５０の挿入量に対応する第１ガイド部４８と、前記所定値Ｓｃに達した後の電池パック５０の挿入量に対応する第２ガイド部４９と、を備えており、該第２ガイド部４９の前記溝部５７の被ガイド壁５７ｇ（つまり、溝部上壁）に対するガイド面４９ｇ（つまりガイドレール上面）は、前記第１ガイド部４８の前記溝部５７の被ガイド壁５７ｇに対するガイド面４８ｇよりも、収納部４０の天井壁部４１に対し前記間隙に相当する距離Ｇだけ近くに位置するように設定されている。
【００３４】
このように設定したことにより、電池パック５０を収納部４０に挿入する際に、電池パック５０の挿入量が所定値Ｓｃに達するまでは、当該電池パック５０の装着平面部５１と収納部４０の天井壁部４１との間に所定の間隙（Ｇ）を保ち、電池パック５０の挿入量が前記所定値Ｓｃに達すると（図７の仮想線表示参照）、特に、第２ガイド部４９が設けられている電池パック５０の挿入方向における奥側について、装着平面部５１が天井壁部４１に近接して間隙（Ｇ）をなくし、好ましくは両者５１，４１が密着するように、電池パックの挿入動作が案内される。また、挿入動作完了時には、電池パックの装着平面部５１と収納部の天井壁部４１との間隙を無くすことができるため、収納部４０に備える端子と電池パック５０に備える端子との電気的接続を「がたつき」なく、安定かつ確実に成し得ることができる。
【００３５】
一方、前記溝部５７は、前記所定値Ｓｃに達するまでの電池パック５０の挿入量に対応する第１被ガイド部５８と、前記所定値Ｓｃに達した後の電池パック５０の挿入量に対応する第２被ガイド部５９と、を備えており、該第２被ガイド部５９の前記ガイドレール４７にガイドされる被ガイド壁５９ｇは、前記第１被ガイド部５８の被ガイド壁５８ｇよりも、収納部４０の天井壁部４１に対し前記間隙に相当する距離Ｇだけ遠くに位置するように設定されている。
【００３６】
このように設定したことにより、電池パック５０を収納部４０に挿入する際に、電池パック５０の挿入量が所定値Ｓｃに達するまでは、当該電池パック５０の装着平面部５１と収納部４０の天井壁部４１との間に所定の間隙（Ｇ）を保ち、電池パック５０の挿入量が前記所定値Ｓｃに達すると（図７の仮想線表示参照）、特に、第２被ガイド部５９が設けられている電池パック５０の挿入方向における手前側について、装着平面部５１が天井壁部４１に近接して間隙（Ｇ）をなくし、好ましくは両者５１，４１が密着するように、電池パック５０の挿入動作が案内される。この構成により、収納部４０に対する電池パック５０の挿入過程における殆どの距離を占める所定値Ｓｃまでは、電池パックの装着平面部５１と収納部の天井壁部４１とが間隙Ｇを維持する離隔関係に保たれるため、電池パックの装着平面部５１に施された塗装または貼付等された重要な電池情報（銘板情報）が、収納部の天井壁部４１との摺動によって損なわれることがない。
【００３７】
特に、本実施形態では、ガイドレール４７の第２ガイド部４９の前記溝部５７の被ガイド壁５７ｇに対するガイド面４９ｇが、前記第１ガイド部４８の前記溝部５７の被ガイド壁５７ｇに対するガイド面４８ｇよりも、収納部４０の天井壁部４１に対し前記間隙に相当する距離Ｇだけ近くに位置するように設定され、且つ、溝部５７の第２被ガイド部５９の前記ガイドレール４７にガイドされる被ガイド壁５９ｇは、前記第１被ガイド部５８の被ガイド壁５８ｇよりも、収納部４０の天井壁部４１に対し前記間隙に相当する距離Ｇだけ遠くに位置するように設定されている。
【００３８】
従って、電池パック５０を収納部４０に挿入する際には、電池パック５０の挿入量が前記所定値Ｓｃに達すると、電池パック挿入方向における奥側と手前側の両方で、装着平面部５１が天井壁部４１に近接して間隙（Ｇ）をなくするように電池パック５０の挿入動作が案内され、より安定した挿入動作を実現でき、また、より安定した電池パック５０の収納状態が得られ、収納部４０に備える端子と電池パック５０に備える端子との電気的接続を「がたつき」なく、安定かつ確実に成し得るのである。
【００３９】
しかも、本実施形態では、電池パック５０の装着平面部５１には、当該電池パック５０の銘板（不図示）が貼り付けられているが、電池パック５０の収納部４０に対する挿入／抜脱が繰り返されても、銘板が剥がれたり、或いは、装着平面部５１に貼り付けられた銘板の銘板情報が、擦れて見辛くなるという不具合が生じることを抑制できる。
【００４０】
尚、以上の説明では、収納部４０側に設けたガイドレール４７の第２ガイド部４９と電池パック５０側に設けた溝部５７の第２被ガイド部５９の両方について、そのガイド面４９ｇ及び被ガイド壁５９ｇの収納部４０の天井壁部４１に対する位置をそれぞれ工夫することにより、電池パック挿入方向における奥側と手前側の両方で、装着平面部５１が天井壁部４１に近接して間隙（Ｇ）をなくするように電池パック５０の挿入動作が案内されるように構成されていたが、種々の条件によっては、電池パック挿入方向における奥側と手前側の何れか一方側のみについて、上述の構成を採用するようにしてもよい。
【００４１】
また、以上の説明は、ノートパソコンを例にとったものであったが、本発明はかかる場合に限定されるものではなく、電池パックを用いる他の種々の情報処理装置においても、有効に適用することができる。
【００４２】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００４３】
本発明は、例えばノートパソコンなどの情報処理装置における電池パックの収納構造として、有効に利用することができる。
【符号の説明】
【００４４】
３１  第２筐体
３１ｂ  第２筐体の底部
３１ｓ  第２筐体の側部
４０  収納部
４１  収納部の天井壁部
４３  収納部の側壁部
４４  収納部の奥壁部
４５  収納部の入口開口
４７  ガイドレール
４７ｇ  ガイドレールのガイド面
４８  第１ガイド部
４８ｇ  第１ガイド部のガイド面
４９  第２ガイド部
４９ｇ  第２ガイド部のガイド面
５０  電池パック
５１  電池パックの装着平面部
５３  電池パックの側面
５４  電池パックの奥側端面
５７  溝部
５７ｇ  溝部の被ガイド壁
５８  第１被ガイド部
５８ｇ  第１被ガイド部の被ガイド壁
５９  第２被ガイド部
５９ｇ  第２被ガイド部の被ガイド壁
Ｇ  所定の間隙
Ｓｃ  （挿入量の）所定値
Ｗ  ノートパソコン
【図１】
0005414441.tif 000002
【図２】
0005414441.tif 000003
【図３】
0005414441.tif 000004
【図４】
0005414441.tif 000005
【図５】
0005414441.tif 000006
【図６】
0005414441.tif 000007
【図７】
0005414441.tif 000008